(57)【要約】【課題】スコップ等で土を持ち上げなくても土嚢の作成が可能であり、また、斜面や地盤が緩い箇所においても土嚢を作成することが可能な土嚢製造器具を提供する。【解決手段】土嚢製造器具１は、周壁の一部に略平らな背板３を備え、軸方向の両端部が開放されると共に一方の端部に向かって口細となる筒体２を有する。この筒体２は、背板３を一方の端部から軸方向に最も長く形成し、また、筒体２の軸中心に対して背板３と反対側となる周壁箇所（前板５）を一方の端部から背板３よりも軸方向に短く形成することで、口広側の端部が背板３に対して垂直となる方向にも開放する形状とする。また、筒体２の軸中心に対して背板３と反対側となる周壁箇所（前板５）と背板３との間の間隔を、一方の端部に向かうにつれて小さくし、背板５の幅を、一方の端部に向かうにつれて小さくする。【選択図】  図１
2020117899.tif 000002
【特許請求の範囲】
【請求項１】
周壁の一部に略平らな背板を備え、軸方向の両端部が開放されると共に一方の端部に向かって徐々に口細となる筒体を有し、
この筒体は、前記背板を前記一方の端部から軸方向に最も長く形成し、また、前記筒体の軸中心に対して前記背板と反対側となる周壁箇所を前記一方の端部から前記背板よりも軸方向に短く形成することで、口広側の端部が前記背板に対して垂直となる方向にも開放される形状とし、
さらに、前記筒体の軸中心に対して前記背板と反対側となる周壁箇所は、前記背板との間の間隔が前記一方の端部に向かうにつれて小さく形成され、また、前記背板の幅は、前記一方の端部に向かうにつれて小さく形成されることを特徴とする土嚢製造器具。
【請求項２】
前記周壁の前記一方の端部寄りには、前記筒体の内外を連通する周壁開口部が形成されていることを特徴とする請求項１記載の土嚢製造器具。
【請求項３】
前記筒体の軸中心に対して前記背板と反対側となる周壁箇所であって、口広側の端部寄りに土嚢袋を掛かり留める土嚢袋用フックを設け、このフックに対して両側となる口広側の端部寄りにロープを引掛けるロープ用フックを設けたことを特徴とする請求項１又は２記載の土嚢製造器具。
【請求項４】
前記背板の口広側の端部寄りには、手持ち孔が形成されていることを特徴とする請求項１乃至３のいずれかに記載の土嚢製造器具。
【請求項５】
前記筒体は、前記背板と、この背板の両側縁から略垂直に立設する対をなす側板と、前記筒体の軸中心に対して前記背板と反対側に位置して前記対をなす側板に連接する前板と、を備えて断面矩形状に形成され、
前記土嚢袋用フックは、前記前板に設けられ、前記ロープ用フックは、前記側板に設けられていることを特徴とする請求項３記載の土嚢製造器具。
【発明の詳細な説明】
【技術分野】
【０００１】
本発明は、土嚢を容易且つ格別な作業労力を要せずに作成することが可能な土嚢製造器具に関する。
【背景技術】
【０００２】
土砂の流出や土留めとして土嚢を作成しているが、この土嚢を作成するための製造器具としては、
・  末広がりとなるようにテーバ円筒状に形成された側板と、側板の上端部に設けられた把手部とを備え、側板をテーバ状にすることで、充填が完了した後に土嚢袋からの抜脱を容易かつ迅速に行うことができるようにした土嚢充填補助具や（特許文献１参照）、
・  円筒形の筒体に、筒を握る開口部を上下に複数個所ずつ設けた土嚢作り作業用器具や（特許文献２参照）、
・  土嚢袋の開口部を保持する保持枠と、台座部と、保持枠を台座部上に立設支持する支持部材と、を備えた土嚢作成具（特許文献3参照）
等が提案されている。
【先行技術文献】
【特許文献】
【０００３】
【特許文献１】特開２００４―３５００３号公報
【特許文献２】特開平１１―１１７２５４号公報
【特許文献１】実用新案登録第３１７８２２２号公報
【発明の概要】
【発明が解決しようとする課題】
【０００４】
しかしながら、いずれの土嚢製造器具もスコップ等で土を持ち上げ、器具の上方から土嚢袋へ入れるものであり、土嚢袋に土を入れるに当たり、腰を痛めたり、うまく土を土嚢袋に投入できなかったりするという不都合が生じている。
また、従来の土嚢製造器具は、水平な箇所に製造器具を設置した上で用いる必要があり、斜面や地盤が緩い箇所での作業には向かないものであった。
【０００５】
本発明は、係る事情に鑑みてなされたものであり、スコップ等で土を持ち上げなくても土嚢の作成が可能であり、また、斜面や地盤が緩い箇所においても土嚢を作成することが可能な土嚢製造器具を提供することを主たる課題としている。
【課題を解決するための手段】
【０００６】
上記課題を達成するために、本発明に係る土嚢製造器具は、周壁の一部に略平らな背板を備え、軸方向の両端部が開放されると共に一方の端部に向かって徐々に口細となる筒体を有し、この筒体は、前記背板を前記一方の端部から軸方向に最も長く形成し、また、前記筒体の軸中心に対して前記背板と反対側となる周壁箇所を前記一方の端部から前記背板よりも軸方向に短く形成することで、口広側の端部が前記背板に対して垂直となる方向にも開放される形状とし、さらに、前記筒体の軸中心に対して前記背板と反対側となる周壁箇所は、前記背板との間の間隔が前記一方の端部に向かうにつれて小さく形成され、また、前記背板の幅は、前記一方の端部に向かうにつれて小さく形成されることを特徴としている。
【０００７】
したがって、本発明に係る土壌製造器具によれば、筒体の口細部分を土嚢袋に挿入した状態で背板を下にして横に寝かせれば、口広となる端部側で背板に対して垂直となる上方部分が開放された状態となるので、作業者は、この状態において、鍬や鋤簾等を用いて背板の上に土を掻き寄せながら載せ、又は、筒体を口広側を前にして引きずるように移動させることで背板の上に土を載せ、しかる後に、その状態で筒体を起こすことで、土嚢袋に土を入れることが可能となる。
このため、スコップ等を用いて土を一旦上に持ち上げる作業が不要となるので、腰を痛める不都合がなく、作業労力を低減することが可能となる。また、筒体を背板を下にして横に寝かせればいいので、水平面に限らず、傾斜面や地盤が緩い箇所に寝かせて、同様の作業をすれば土嚢を作成することが可能となる。
【０００８】
ここで、筒体は、その軸方向の一方の端部に口細の開口部を形成し、他方の端部に口広の開口部を形成するだけのものであってもよいが、前記周壁の口細となる一方の端部寄りに、筒体の内外を連通する周壁開口部を形成するようにしてもよい。
このような構成とすることで、筒体の背板の上に土を盛った後に起こすことで、土が口細のみならず周壁開口部を介しても放出されるので、筒体内で土が引っかかって口細となる一方の端部の開口部から土が放出されないような場合でも、土嚢袋に土を入れることが可能となる。
【０００９】
また、筒体の軸中心に対して背板と反対側となる周壁箇所であって、口広側の端部寄りに土嚢袋を掛かり留める土嚢袋用フックを設け、このフックに対して両側となる口広側の端部寄りにロープを引掛けるロープ用フックを設けるようにするとよい。
このような構成にすれば、ロープ用フックにロープを掛け留めてロープを斜め上方に引っ張ることで、筒体を起こすことが可能となり、背板に土を盛った筒体を腰を屈めて起こす必要がなくなる。また、筒体を起こす際に口細側に足を掛けた上でロープを引っ張ることで、筒体を起こす作業においてテコの原理を利用して筒体を起こすことが可能となり、作業労力を一層低減することが可能となる。
【００１０】
さらに、前記背板の口広側の端部寄りに、手持ち孔を形成することで、筒体を起こした後に、手持ち孔に手を入れて筒体を持ち上げることで、筒体内の土を土嚢袋に放出させることが可能になると共に、土嚢袋から筒体を容易に取り外すことが可能となる。
【００１１】
なお、より具体的な筒体の形状としては、前記背板と、この背板の両側縁から略垂直に立設する対をなす側板と、前記筒体の軸中心に対して前記背板と反対側に位置して前記対をなす側板に連接する前板と、を備えて断面矩形状に形成し、前記土嚢袋用フックを前記前板に設け、前記ロープ用フックを前記側板に設けるようにしてもよい。
【発明の効果】
【００１２】
以上述べたように、本発明によれば、周壁の一部に略平らな背板を有すると共に軸方向の一端に向かって徐々に口細となる筒体を備え、この筒体の口広側を背板に対して垂直となる方向にも開放する形状とし、また、筒体の軸中心に対して背板と反対側となる周壁箇所と背板との間の間隔を一方の端部に向かうにつれて小さくすると共に、背板の幅を一方の端部に向かうにつれて小さくしたので、筒体の口細部分を土嚢袋に挿入しやすくなると共に、土嚢袋に挿入した状態で背板を下にして筒体を横に寝かせることで、筒体の口広となる端部側が上方にも開放された状態となる。このため、この上方が解放された端部側において鍬や鋤簾等を用いて背板上に土を掻き寄せて載せ、又は、口広側を前にして引き擦るように筒体を移動させることで背板上に土を載せることが可能となる。また、背板上に土を載せた状態で筒体を起こして上方へ持ち上げれば、土嚢袋に土を入れることが可能になると共に筒体を土嚢袋から取り外すことが可能になるので、スコップ等を用いて腰を屈めて土を一旦上に持ち上げる作業が不要となり、腰を痛める不都合がなくなると共に作業労力を低減することが可能となる。
また、背板を下にして筒体を横に寝かせた上で背板上に土を載せる作業をすればいいので、水平面に限らず、傾斜面や地盤が緩い箇所でも同様の作業を行って土嚢を作成することが可能となる。
【図面の簡単な説明】
【００１３】
【図１】図１は、本発明に係る土嚢製造器具を示す図であり、（ａ）は、その正面図、（ｂ）は、その側面図、（ｃ）は、その底面図を示す。
【図２】図２（ａ）は、筒体に掛留めるロープの正面及び側面を示す図であり、図２（ｂ）は、土嚢製造器具の筒体の前板に設けられた土嚢袋用フックに土嚢袋の口紐を掛かり留め、両側の側板に設けられたロープ用フックにロープを掛かり留めた状態を示す図である。
【図３】図３は、土嚢を作成する手順を示す図であり、（ａ）は、土嚢袋に土嚢製造器具の口細部を挿入する前の状態を示す図、（ｂ）は、土嚢袋に土嚢製造器具を挿入して土嚢袋用フックに土嚢袋の口紐を掛留め、土嚢製造器具を背板を下にして横に倒した状態を示す図、（ｃ）は、（ｂ）の状態の土嚢製造器具の背板に鋤や鋤簾等で土を盛った状態を示す図である。
【図４】図４は、土嚢を作成する手順を示す図であり、（ａ）は、土嚢製造器具の背板に土を盛った状態で、ロープ用フックに引っ掛けたロープを引っ張って土嚢製造器具を起こす作業を示す図、（ｂ）は、土嚢製造器具を起こした状態を示す図、（ｃ）は、土嚢製造器具を上に持ち上げて、土嚢製造器具の内側にある土を土嚢袋に放出した状態を示す図である。
【図５】図５は，本発明に係る土嚢製造器具を用いた他の使い方を示すもので、土嚢製造器具を水平な地面を引き擦って筒体の背板の上に土を載せる作業を示す図である。
【図６】図６は、傾斜面での土嚢製造器具の使い方を示す図であり、（ａ）は、土嚢作成器具の背板を下にして横に倒した状態で、背板の上に鋤や鋤簾等で土を盛った状態を示す図であり、（ｂ）は、土嚢製造器具を傾斜面を引き擦って背板の上に土を載せる作業を示す図である。
【発明を実施するための形態】
【００１４】
以下、本発明の実施形態を図面に基づき詳述する。
【００１５】
図１に本発明に係る土嚢製造器具１が示され、この土嚢製造器具１は、アルミ合金、合成樹脂などの軽量硬質材料で形成されているもので、この例では、断面矩形状の筒体２を備えている。
【００１６】
筒体２は、横に倒した場合に地面に面接触させる略平坦に形成された背板３と、この背板３の両側縁から略垂直に立設された対をなす側板４と、この側板４間を渡すように設けられると共に前記背板３と対峙する前板５とを有している。この筒体２は、起こして立設させた場合に下側となる一方の端部が最も絞られた口細部２ａとなり、その反対側の他方の端部が最も拡がる口広部２ｂになっており、軸方向の一方の端部に向かって徐々に口細となっている。
【００１７】
筒体２は、口細部２ａにおいて、背板３、側板４、及び前板５のそれぞれの端辺が軸方向でずれることなく同じ位置にあり、したがって、筒体２を起こした場合に、背板３、側板４、及び前板５の下端が地面と接触し、筒体２が自立するようになっており、一方の端部（下端）に筒体２の軸心に対して垂直となる開口部６が形成されている。
【００１８】
背板３は、口細部２ａの端部からの軸方向の長さが最も長く形成され、前板５は、口細部２ａの端部からの軸方向の長さが最も短く形成され、側板４は、前板５の側辺全体から背板３の側辺全体にかけて渡すように形成されている。
したがって、筒体２の口広部２ｂは、斜めに開口された開口部７を有するもので、この開口部７は、軸方向に大きく開放されると共に、背板３と垂直方向にも大きく開放され、背板３の前板５よりも軸方向に突出している部分によって、背板３を下にして筒体２を横に倒した場合に土を載せることが可能な載置部８が形成されている。
【００１９】
また、前板５は、背板５との間の間隔が口細部２ａに向かうにつれて徐々に小さく形成され、背板３の幅は、口細部２ａに向かうにつれて徐々に小さく形成されている。
さらに、背板３の前板５よりも軸方向に突出した部分には、手を差し入れる手持ち孔９が形成され、また、側板４の口細部寄りには、筒体２の内外を連通し、筒体内の土を放出する周壁開口部１０が形成されている。
【００２０】
そして、図２にも示されるように、前板５の開口部７の近傍には、土嚢袋１１の口紐１１ａを掛り留める土嚢袋用フック１２が設けられ、土嚢袋用フック１２の両側となる側板４の前板５寄りの部分であって開口部７の近傍には、ロープ１３を掛り留めるロープ用フック１４が設けられている。なお、ロープ１３は、一端にカルビナ１３ａが設けられ、ロープ用フック１４にワンタッチで取り付けられるものが好ましい。
【００２１】
以上の構成において、次に、上述した土嚢製造器具１を用いて土嚢を作成する手順について説明すると、先ず、図３（ａ）に示されるように、土嚢製造器具１の口細部２ａを土嚢袋１１の開口部に対峙させ、土嚢袋１１に土嚢製造器具１の口細部２ａを挿入し、土嚢袋１１の口紐１１ａを土嚢袋用フック１２に外れないように留める。
【００２２】
その後、図３（ｂ）に示されるように、土嚢袋１１を取り付けた土嚢製造器具１を、背板３を下にして倒した状態とし、鍬や鋤簾等を用いて土嚢製造器具１の周囲の土を背板３の先端部近傍に寄せ集め、又は、土がある箇所の近傍に土嚢製造器具１の背板３の先端部を近づけ、鍬や鋤簾等を用いて土２０を背板３の載置部８の上へ移動させ、背板３の上に土２０を盛った状態とする（図３（ｃ））。
【００２３】
そして、適当な量の土を背板３（載置部８）に載せた後に、両側板４のロープ用フック１４にロープ１３を掛り留め、このロープ１３を手で持つと共に土嚢製造器具１の口細部２ａの端部に足を掛け、足を踏ん張りつつロープ１３を斜め上方に引くことで、土嚢製造器具１を土嚢袋１１と共に起こして立設させる（図４（ａ）、
（ｂ））。その後、土嚢製造器具１の筒体２を、手持ち孔９に手を入れて持ち上げることで、土嚢製造器具１の内側の土を開口部６及び周壁開口部１０を介して土嚢袋１１内に放出させ、また、土嚢製造器具１を土嚢袋１１の上端から取り外して土嚢袋１１の開口部の口紐１１ａを締め留めれば土嚢袋の作成が完了する（図４（ｃ））
。
【００２４】
したがって、上述の土嚢製造器具１を用いることで、作業者は、スコップ等を用いて土をすくうために腰を屈めたり、土を上に持ち上げたりする作業が不要となるので、腰を痛める不都合がなく、作業労力を低減することが可能となる。
また、筒体２は、一方の端部（下端部）に向かって徐々に口細となる形状としているので、土嚢袋１１への挿入も容易であり、筒体２には、口細部２ａの端部に開口部６が形成されるだけでなく、周壁の口細部寄りにも周壁開口部１０が形成されているので、筒体内の土が内部で引っかかって開口部６から放出されないような場合でも、周壁開口部１０を介して土嚢袋１１に土を放出させることが可能となり、作業性能を高めることが可能となる。
【００２５】
また、筒体２の軸中心に対して背板３と反対側となる前板５の開口部７寄りに土嚢袋１１を掛かり留める土嚢袋用フック１２を設け、また両側の側板４の開口部７寄りにロープ１３を引掛けるロープ用フック１４を設けたので、ロープ用フック１４にロープ１３を掛け留めてロープを斜め上方に引っ張ることで、筒体２を起こすことが可能となり、背板３に土を盛った筒体２を腰を屈めて起こす必要がなく、また、筒体２を起こす際に口細部２ａに足を掛けた上でロープ１３を引っ張ることで、テコの原理を利用して筒体２を起こすことが可能となり、作業労力を大幅に低減することが可能となる。
【００２６】
さらに、前記背板３の口広部２ｂ寄りに、手持ち孔９を形成したので、筒体２を起こした後に、手持ち孔９に手を入れて筒体２を持ち上げることで、筒体内の土を放出させることが可能になると共に、土嚢袋１１から筒体２を容易に外すことが可能となる。
【００２７】
なお、以上の土嚢製造器具１は、平坦な地面上に設置して用いる場合について説明したが、図５に示されるように、土嚢袋１１を取り付けた土嚢製造器具１を、ロープ用フック１４に掛り留めたロープ１３を口広部２ｂ側へ延ばし、土嚢製造器具１の前方からロープ１３を持って土嚢製造器具１を前方へ引き擦るように移動させることで、筒体２の背板上３に土を載せるようにしてもよい。
このような使い方によれば、鍬や鋤簾を補助的に用いるだけでいいため、作業効率を高めることが可能となる。特に、このような使い方は、土が砂のようにさらさらしている場合や崩れやすい土塊等において、背板上の土を一気に載せるような場合に有効である。
【００２８】
また、本土嚢製造器具１は、水平な地面だけでなく、図６に示されるように、傾斜面に用いて利用することも可能である。すなわち、傾斜面においても、土嚢袋１１を取り付けた土嚢製造機器１を、背板を下にして横向きに倒して斜面に置き、その状態で図６（ａ）に示されるように、鍬や鋤簾等を用いて背板上に土をかき集めて載せたり、図６（ｂ）に示されるように、土嚢製造器具１を引き摺るようにスライドさせて背板上に土を載せたりすれば、傾斜面上でも土嚢を同様に作成することが可能となる。
さらに、土嚢製造器具１は寝かせて用いるので、地盤が緩い箇所においても、同様の作業を行って土嚢を製造することが可能となる。
【００２９】
なお、上述の構成においては、筒体２を断面矩形状に形成した例を示したが、周壁の一部に平らな背板を備え、この背板を下にして横に倒すことができる構成であれば、周壁の形状はどのように形成してもよく、例えば、前記側板４及び前板５に代えて半円弧状の湾曲壁を背板に連接させて筒体を形成するようにしてもよい。
【符号の説明】
【００３０】
１  土嚢製造器具
２  筒体
３  背板
４  側板
５  前板
６，７  開口部
９  手持ち孔
１０  周壁開口部
１２  土嚢袋用フック
１３  ロープ
１４  ロープ用フック
【図１】
2020117899.tif 000003
【図２】
2020117899.tif 000004
【図３】
2020117899.tif 000005
【図４】
2020117899.tif 000006
【図５】
2020117899.tif 000007
【図６】
2020117899.tif 000008